(57)【特許請求の範囲】
【請求項１】
スライド部材と、前記スライド部材と隙間を設けて重なり合う重なり部とを備えるスライド構造に用いられ、前記スライド部材の重なり部側端部近傍に貼り付けられることで、前記スライド部材が前記重なり部と重なる時に、前記重なり部と前記スライド部材との隙間に、人体の一部または物品が引き込まれることを防止する引き込まれ防止シートであって、
表面に凹凸を有する基材シートと、
前記基材シートの凹凸を有する面と反対側の面に配置される中間基材シートと、を備え、
前記基材シートの凹凸を有する面は、十点平均粗さが１０μｍ以上３００μｍ以下であることを特徴とする引き込まれ防止シート。
【請求項２】
請求項１に記載の引き込まれ防止シートにおいて、
前記中間基材シートは、前記基材シート側の面に装飾部を有し、
前記基材シートは、透明または半透明であることを特徴とする引き込まれ防止シート。
【請求項３】
スライド部材と、前記スライド部材と隙間を設けて重なり合う重なり部とを備えるスライド構造であって、
前記スライド部材の重なり部側端部近傍に請求項１または請求項２に記載の引き込まれ防止シートが貼り付けられ、
前記引き込まれ防止シートは、当該引き込まれ防止シートの表面と前記重なり部との隙間が５ｍｍ以下となるように貼り付けられていることを特徴とするスライド構造。
【請求項４】
請求項３に記載のスライド構造において、
前記スライド部材は、引戸であり、
前記重なり部は、前記引戸を収納する収納部であり、
前記引戸が、前記収納部内の空間に隙間を設けて収納される
ことを特徴とするスライド構造。
【請求項５】
スライド部材と、前記スライド部材と隙間を設けて重なり合う重なり部とを備えるスライド構造において、前記スライド部材が前記重なり部と重なる時に、前記重なり部と前記スライド部材との隙間に、人体の一部又は物品が引き込まれることを防止するスライド構造の引き込まれ防止方法であって、
前記スライド部材の重なり部側端部近傍に、請求項１または請求項２に記載の引き込まれ防止シートを貼り付ける
ことを特徴とするスライド構造の引き込まれ防止方法。
【発明の詳細な説明】
【技術分野】
【０００１】
本発明は、引き込まれ防止シート、スライド構造、スライド構造の引き込まれ防止方法に関する。
【背景技術】
【０００２】
電車などの車両の乗降口や、戸棚の出し入れ口などには、スライド部材と、スライド部材と重なり合う重なり部とを備えたスライド構造が設けられている。例えば、電車においては、スライド部材としての引戸と、引戸を収納する重なり部としての収納部とが設けられている。ここで、利用者が引戸に寄りかかっている場合、引戸の収納部側端部近傍に指などが接触する時があるが、この時に引戸が開くと指が引戸に引きずられて引戸と収納部との隙間に引き込まれそうになる。
そこで、引戸にエンドレス式の移動ベルトを設けて指などが引き込まれることを防止する技術が提案されている（特許文献１参照）。
【先行技術文献】
【特許文献】
【０００３】
【特許文献１】特開２００８−１５０７８６号公報
【発明の概要】
【発明が解決しようとする課題】
【０００４】
しかしながら、特許文献１に記載の技術では、移動ベルトなどの排除手段をスライド部材に別途設けなければならず、スライド部材に対して改造や設備投資などが必要であるという問題がある。
【０００５】
そこで、本発明の目的は、既存のスライド部材を活かした簡単な方法で人体の一部又は物品が引き込まれることを防止できる引き込まれ防止シート、スライド構造、およびスライド構造の引き込まれ防止方法を提供することである。
【課題を解決するための手段】
【０００６】
本発明は、以下の構成を要旨とするものである。
［１］スライド部材と、前記スライド部材と隙間を設けて重なり合う重なり部とを備えるスライド構造に用いられ、前記スライド部材の重なり部側端部近傍に貼り付けられることで、前記スライド部材が前記重なり部と重なる時に、前記重なり部と前記スライド部材との隙間に、人体の一部または物品が引き込まれることを防止する引き込まれ防止シートであって、表面に凹凸を有する基材シートと、前記基材シートの凹凸を有する面と反対側の面に配置される中間基材シートと、を備え、前記基材シートの凹凸を有する面は、十点平均粗さが１０μｍ以上３００μｍ以下であることを特徴とする引き込まれ防止シート。
【０００７】
本発明の引き込まれ防止シートによれば、表面に凹凸を有する引き込まれ防止シートを、スライド部材の重なり部側端部近傍に貼り付けることにより、引き込まれ防止シートと人体の一部又は物品との間の摩擦力を低減することができるので、スライド部材と重なり部とが重なる時に、人体の一部などが引き込まれることを防止できる。従って、既存のスライド部材に引き込まれ防止シートを貼り付けるという簡単な方法で、人体の一部などが引き込まれることを防止できる。
また、本発明の引き込まれ防止シートによれば、十点平均粗さを１μｍ以上とすることにより、基材シートの凹凸を有する面と人体の一部又は物品との間の摩擦力を確実に低減することができるため、人体の一部などが引き込まれることを良好に防止できる。
本発明の引き込まれ防止シートによれば、中間基材シートを設けることにより、シート自体の厚みを厚くできる。従って、厚みの大きい本発明の引き込まれ防止シートをスライド部材に貼り付けることにより、スライド部材に貼り付けられた引き込まれ防止シートと重なり部との隙間を小さくできるため、人体の一部などが引き込まれることをさらに防止できる。
【０００８】
［２］［１］に記載の引き込まれ防止シートにおいて、前記中間基材シートは、前記基材シート側の面に装飾部を有し、前記基材シートは、透明または半透明であることを特徴とする引き込まれ防止シート。
【００１０】
［３］スライド部材と、前記スライド部材と隙間を設けて重なり合う重なり部とを備えるスライド構造であって、前記スライド部材の重なり部側端部近傍に［１］または［２］に記載の引き込まれ防止シートが貼り付けられ、前記引き込まれ防止シートは、当該引き込まれ防止シートの表面と前記重なり部との隙間が５ｍｍ以下となるように貼り付けられていることを特徴とするスライド構造。
本発明のスライド構造によれば、スライド部材の重なり部側端部近傍に上述の引き込まれ防止シートを貼り付けるため、上述したように人体の一部などが引き込まれることを防止できる。
【００１１】
［４］［３］に記載のスライド構造において、前記スライド部材は、引戸であり、前記重なり部は、前記引戸を収納する収納部であり、前記引戸が、前記収納部内の空間に隙間を設けて収納されることを特徴とするスライド構造。
本発明のスライド構造によれば、引戸に上述の引き込まれ防止シートを貼り付けるため、引戸が収納部に収納される時に人体の一部などが引き込まれることを防止できる。
【００１２】
［５］スライド部材と、前記スライド部材と隙間を設けて重なり合う重なり部とを備えるスライド構造において、前記スライド部材が前記重なり部と重なる時に、前記重なり部と前記スライド部材との隙間に、人体の一部又は物品が引き込まれることを防止するスライド構造の引き込まれ防止方法であって、前記スライド部材の重なり部側端部近傍に、［１］または［２］に記載の引き込まれ防止シートを貼り付けることを特徴とするスライド構造の引き込まれ防止方法。
本発明のスライド構造の引き込まれ防止方法によれば、スライド部材の重なり部側端部近傍に上述の引き込まれ防止シートを貼り付けるため、上述したように人体の一部などが引き込まれることを防止できる。
【図面の簡単な説明】
【００１３】
【図１】本発明の第１実施形態に係る引き込まれ防止シートが貼り付けられた電車の引戸の正面図。
【図２】第１実施形態の引き込まれ防止シートが貼り付けられた引戸の断面図。
【図３】第１実施形態の引き込まれ防止シートの断面図。
【図４】（Ａ）第１実施形態の他の引き込まれ防止シートの断面図。（Ｂ）（Ａ）の引き込まれ防止シートの正面図。
【図５】本発明の第２実施形態に係る引き込まれ防止シートが貼り付けられたビルの出入り口の引戸の正面図。
【図６】本発明の第３実施形態に係る引き込まれ防止シートが貼り付けられたエレベーターの引戸の正面図。
【図７】本発明の第４実施形態に係る引き込まれ防止シートが貼り付けられた玄関の引戸の正面図。
【図８】第４実施形態の引き込まれ防止シートが貼り付けられた家屋の引戸の断面図。
【発明を実施するための形態】
【００１４】
［第１実施形態］
図１，２に示すように、本発明の第１実施形態に係る引き込まれ防止シート１０Ａ，１０Ｂは、電車の車両１１Ａの乗降口に設けられたスライド構造１１などに用いられる。本実施形態では、電車を例示して説明するが、本発明の引き込まれ防止シートはバスなどの乗り物のスライド構造に用いられても良い。
スライド構造１１は、スライド部材としての引戸１２と、引戸１２と重なり合う重なり部としての収納部１３とを備える。スライド構造１１は、図示しないレールに沿って引戸１２を収納部１３に対してスライド移動させることにより、乗降口を開閉する。
【００１５】
引戸１２は、板状部材であり、図１では左右に開くように一対設けられている。引戸１２は、上部にガラス窓１２１を有し、また、図２に示すように車内側の内側表面１２２と車外側の外側表面１２３とを有する。
引戸１２の表面の材質は、例えば、ステンレス板、鉄板上にメラミン樹脂が塗布されたものなどである。
このような引戸１２は、表面が平滑であるため、滑り性が悪い。そのため、引戸１２の内側表面１２２に指などが接触している状態では、引戸１２の内側表面１２２と指などの表面との接触面積が広いため、引戸１２が動く際、引戸１２の内側表面１２２と指などとの間の摩擦力により指などが引戸１２に引きずられる。
図２に示すように、引戸１２は、収納部１３から引き出された状態、すなわち、乗降口が閉じた状態で、収納部１３と前後方向で重なる重なり部側端部としての収納部側端部１２４を有する。
【００１６】
収納部１３は、一対の引戸１２をそれぞれ収納するように一対設けられている。収納部１３は、いわゆる戸袋であり、互いに対向する側に開口１３１を有する箱状である。また、収納部１３は、引戸１２を収納するための空間１３２を形成する一対の側壁１３３を有する。収納部１３は、引戸１２に貼り付けられた引き込まれ防止シート１０Ａ，１０Ｂと側壁１３３との隙間ｄを有して引戸１２を収納する。すなわち、収納部１３は、引戸１２と隙間ｄを有して重なり合う。隙間ｄの幅は、８ｍｍ以下が好ましく、５ｍｍ以下がより好ましく、３ｍｍ以下が更により好ましい。隙間ｄを狭くすることにより、隙間ｄに厚みが厚い指や物品（荷物）などが引き込まれにくくなる効果がある。
【００１７】
引き込まれ防止シート１０Ａ，１０Ｂは、一対の引戸１２にそれぞれ貼り付けられている。引き込まれ防止シート１０Ａ，１０Ｂは、引戸１２の収納部側端部１２４近傍に、引戸１２を閉じた状態で収納部１３の外に露出するように貼り付けられている。
引き込まれ防止シート１０Ａは帯状であり、図１に示すように、左側の引戸１２に貼り付けられている。この引き込まれ防止シート１０Ａは、収納部側端部１２４とガラス窓１２１との間に貼り付けられて、引戸１２の上下方向に延びるように上端部から下端部まで貼り付けられている。
引き込まれ防止シート１０Ｂは、図１に示すように、右側の引戸１２に貼り付けられている。この引き込まれ防止シート１０Ｂは、引き込まれ防止シート１０Ａよりも幅が広く、ガラス窓１２１の一部を覆うように貼り付けられている。
また、引き込まれ防止シート１０Ｂは、人間が引戸１２に接触する高さの位置にのみ貼付されており、引戸１２の上端部及び下端部には貼り付けられていない。具体的には、引戸１２の下端部より３０ｃｍ程度の高さから１９０ｃｍ程度の高さまで貼り付けられている。
なお、引き込まれ防止シート１０Ａ，１０Ｂの形状は帯状に限らず、円形、楕円形、正方形、ひし形、五角形などの多角形や不定形な流線形状など、引戸１２に貼り付けできるような形状であれば特に限定されない。
【００１８】
引き込まれ防止シート１０Ａ，１０Ｂは、幅が５ｃｍ以上であることが好ましく、１５ｃｍ以上であることがより好ましく、３０ｃｍ以上であることがさらにより好ましい。
引き込まれ防止シート１０Ｂのように、幅をなるべく広くすることにより、指などが接触する箇所を広く覆うことができるので好ましい。一方、幅が５ｃｍ未満の場合、指などが接触する箇所を覆うことができないおそれがある。
なお、引戸１２の１枚に対して貼り付ける引き込まれ防止シート１０Ａ，１０Ｂは１枚とは限られず、人間が接触する可能性がある高さ方向に複数枚貼り付けてもよく、横方向に複数枚貼り付けてもよい。
【００１９】
引き込まれ防止シート１０Ａ，１０Ｂは、図３に示すように、基材シート１０１と、粘着剤層１０２とを備え、引戸１２に貼り付けられる前は、剥離シート１４が積層されている。
基材シート１０１は、引戸１２の内側表面１２２に対する貼付面１０１Ａと、貼付面１０１Ａと反対側で凹凸を有する面（凹凸面）１０１Ｂとを有する。
凹凸面１０１Ｂは、引き込まれ防止シート１０Ａ，１０Ｂが引戸１２に貼り付けられた際、引き込まれ防止シート１０Ａ，１０Ｂの表面である。この凹凸面１０１Ｂは、十点平均粗さが１μｍ以上１０００μｍ以下であることが好ましく、５μｍ以上５００μｍ以下であることがより好ましく、１０μｍ以上３００μｍ以下であることがさらにより好ましい。凹凸を施すことにより、引戸１２が開く時に指などが摩擦力で収納部１３に引き込まれることを防止できる。凹凸面１０１Ｂと指などの表面との接触面積が減るために両者間に発生する摩擦力を凹凸面１０１Ｂがない状態と比べて低減できるためと考えられる。十点平均粗さが１μｍ未満であると、指などの表面と凹凸面１０１Ｂとの接触面積が広くなるため摩擦が大きくなり、収納部１３に引き込まれる場合がある。
一方、引き込まれ防止シート１０Ａ，１０Ｂの凹凸面１０１Ｂの十点平均粗さが１０００μｍを超える場合、凹凸面１０１Ｂが粗くなり過ぎて、逆に抵抗が大きくなり、摩擦力が大きくなるという問題が発生する可能性がある。なお、凹凸形成は、公知の方法で実施することができ、例えば、サンドブラスト加工やエンボス加工により実施することができる。サンドブラスト加工は、砂石、金属、樹脂等からなるブラスト材を基材シートに吹き付ける方法などが挙げられる。エンボス加工は、平板プレス機、ロールエンボス機などの公知の各種プレス機、エンボス機を用いて、基材シートに熱又は圧力によりエンボス板（エンボスロール）の凹凸形状を賦形することによりエンボス模様を施す方法や、押出成形する際にクーリングロール面に柄のついたロールを使用する方法などが挙げられる。エンボス加工にはシボ加工も含まれる。
【００２０】
基材シート１０１としては、例えば、合成樹脂シートや紙があげられる。合成樹脂シートの材料としては、例えば、ポリエチレン、ポリプロピレンなどのポリオレフィン、ポリエチレンテレフタレート、ポリブチレンテレフタレート、ポリエチレンナフタレートなどのポリエステル、ポリ塩化ビニル、ポリイミド、ポリカーボネート、ポリスチレン、ポリウレタン、エチレン−酢酸ビニル共重合体、アクリロニトリル−ブタジエン−スチレン共重合体などが挙げられる。
紙の基材シート１０１としては、上質紙、コート紙、グラシン紙、ラミネート紙などの紙を用いることができる。
基材シート１０１の厚みとしては特に限定されるものではないが、１μｍ以上３０００μｍ以下が好ましく、５μｍ以上１０００μｍ以下がより好ましく、１０μｍ以上５００μｍ以下がさらにより好ましい。１μｍ未満であると薄いためにコシが弱くなり粘着剤を塗布したりエンボス加工のように凹凸を施す加工工程において取り扱いにくい場合があり、３０００μｍを超えるとコシが強すぎて加工工程において逆に取り扱いにくい場合がある。
【００２１】
粘着剤層１０２は、基材シート１０１の貼付面１０１Ａに形成され、引き込まれ防止シート１０Ａ，１０Ｂを引戸１２に貼り付けるためのものである。粘着剤層１０２を形成する粘着剤としては、例えば、ゴム系、アクリル系、シリコーン系、ポリウレタン系の粘着剤が挙げられる。中でも、アクリル系粘着剤は粘着力が優れているため好ましい。粘着剤のタイプとしては、水に分散しているタイプ、水又は溶剤に溶解しているタイプなどが挙げられる。
なお粘着剤の替わりに感熱接着剤を用いてもよく、さらには粘着剤層１０２を設けずに引戸１２に貼り付ける時に接着剤や両面テープなどを用いてもよい。引戸１２に貼付するための粘着剤などとしては、一度貼付したら簡単には剥がれない永久接着タイプや簡単に剥がすことができ何度でも貼り替えが可能な再剥離タイプの粘着剤などを挙げることができる。
引戸１２に貼付するための粘着剤層１０２などの層の厚みとしては、１μｍ以上５００μｍ以下が好ましく、５μｍ以上３００μｍ以下がより好ましく、１０μｍ以上１５０μｍ以下がさらにより好ましい。１μｍ未満であると接着性が不足する場合があり、５００μｍを超えても接着性がさらに向上するという効果を期待することはできずに粘着剤などのコストが上がるという経済的な問題につながることがある。
【００２２】
剥離シート１４は、引き込まれ防止シート１０Ａ，１０Ｂに積層され、引き込まれ防止シート１０Ａ，１０Ｂの粘着剤層１０２を保護するものである。剥離シート１４としては、例えば、樹脂フィルムや紙などの剥離シート用基材の表面に、必要に応じてフッ素系樹脂、シリコーン系樹脂、長鎖アルキル基含有カルバメートなどの剥離剤をコーティングして剥離剤層を形成させたシートが挙げられる。
剥離シート用基材としては、ポリエチレン、低密度ポリエチレン（ＬＤＰＥ）、直鎖低密度ポリエチレン（ＬＬＤＰＥ）、ポリプロピレン、ポリブテン、ポリブタジエン、ポリメチルペンテン、ポリ塩化ビニル、ポリエチレンテレフタレート、ポリブチレンテレフタレート、ポリエチレンナフタレート、ポリウレタン、エチレン−酢酸ビニル共重合体、アイオノマー樹脂、エチレン・（メタ）アクリル酸共重合体、ポリスチレン、ポリカーボネート、フッ素樹脂、トリアセチルセルロースなどの樹脂フィルムや、上質紙、コート紙、グラシン紙、ラミネート紙などの紙を用いることができる。
引き込まれ防止シート１０Ａ，１０Ｂを引戸１２に貼り付ける際には、剥離シート１４を剥がして引戸１２の内側表面１２２に貼り付ける。引き込まれ防止シート１０Ａ，１０Ｂは、引戸１２に貼り付けられた状態では、凹凸面１０１Ｂが表面となる。
【００２３】
引き込まれ防止シート１０Ａ，１０Ｂは、図４（Ａ）に示すように、基材シート１０１と粘着剤層１０２との間に、中間基材シート１０３と、第２粘着剤層１０４とを備えても良い。
具体的には、中間基材シート１０３は、粘着剤層１０２の基材シート１０１側に隣接する。中間基材シート１０３の材料としては、基材シート１０１と同様のものを用いることができる。また、中間基材シート１０３は、基材シート１０１側の面に装飾部１０３Ａを有することが好ましい。装飾部１０３Ａは、指などが引き込まれることを防止するために注意喚起するものであることが好ましいが、引き込まれ防止シート１０Ａ，１０Ｂが貼り付けられた引戸１２のデザイン性を向上させたり広告情報を表示するためのものでもよい。
装飾部１０３Ａには、印字や着色が施されている。印字としては、例えば、図４（Ｂ）に示すような警告文「荷物の引き込まれにご注意下さい」が挙げられ、着色としては、例えば、利用者に目立つ黄色、赤色、黄色と黒色の縞模様などが挙げられる。印字などを施す方法としては、例えば、グラビア印刷、シルク印刷、インクジェットなどが挙げられる。
【００２４】
中間基材シート１０３が装飾部１０３Ａを有する場合、基材シート１０１及び第２粘着剤層１０４は、装飾部１０３Ａの視認性を確保するため、透明又は半透明であることが好ましい。
第２粘着剤層１０４は、中間基材シート１０３と基材シート１０１との間に介在され中間基材シート１０３と基材シート１０１とを接着する。第２粘着剤層１０４を形成する粘着剤としては、粘着剤層１０２と同様のものを用いることができる。
【００２５】
（スライド構造の引き込まれ防止方法）
次に、本発明の第１実施形態に係るスライド構造の引き込まれ防止方法を説明する。
図１，２のように、引戸１２が乗降口を閉じている状態で、引戸１２の収納部側端部１２４近傍に引き込まれ防止シート１０Ａ，１０Ｂを貼り付ける。
そして、利用者が引戸１２の収納部側端部１２４近傍に寄りかかっている場合、引き込まれ防止シート１０Ａ，１０Ｂに指などが接触する時があるが、引き込まれ防止シート１０Ａ，１０Ｂの表面は凹凸面１０１Ｂであるため、指などとの接触面積が小さい。
ここで、引戸１２を開くように移動させた場合、すなわち、引戸１２を収納部１３に収納する時、引き込まれ防止シート１０Ａ，１０Ｂも動くが、凹凸面１０１Ｂと指などとの接触面積が小さいため、引き込まれ防止シート１０Ａ，１０Ｂが動いた時に凹凸面１０１Ｂと指などとの間に発生する摩擦力を凹凸面１０１Ｂがない場合に比べて低減できる。そのため、引戸１２が開く時に指などが摩擦力で収納部１３に引き込まれることを防止できる。
【００２６】
以上のような本実施形態によれば、以下のような効果を奏することができる。
（１）引戸１２の収納部側端部１２４近傍に、凹凸面１０１Ｂを有する引き込まれ防止シート１０Ａ，１０Ｂを貼り付けることにより、引戸１２を収納部１３に収納する時に、指などは引き込まれ防止シート１０Ａ，１０Ｂに引きずられず、収納部１３に引き込まれない。従って、既存の引戸１２に凹凸加工を施した引き込まれ防止シート１０Ａ，１０Ｂを貼り付けることにより、コストがかからず、簡単な方法で、指や物品などが収納部１３に引き込まれることを防止できる。
【００２７】
（２）収納部１３に引戸１２を収納する時、引戸１２に貼り付けられた引き込まれ防止シート１０Ａ，１０Ｂと側壁１３３との隙間ｄを８ｍｍ以下とすることにより、指や物品などが収納部１３に引き込まれることを防止できる。
（３）引き込まれ防止シート１０Ａ，１０Ｂの幅を５ｃｍ以上として引戸１２に貼り付けることにより、指や物品が引き込まれることをより防止できる。
【００２８】
（４）引き込まれ防止シート１０Ａ，１０Ｂの凹凸面１０１Ｂの十点平均粗さを１μｍ以上とすれば、凹凸面１０１Ｂと指の表面との間の摩擦力を低減することができる。従って、指や物品などが収納部１３に引き込まれることを防止できる。
（５）中間基材シート１０３を設けることにより、引き込まれ防止シート１０Ａ，１０Ｂ自体の厚みを厚くして隙間ｄを狭くできるため、指や物品が引き込まれることをさらに防止できる。
【００２９】
（６）中間基材シート１０３に装飾部１０３Ａを設けることにより、利用者に指や物品などが引き込まれないよう注意喚起をしたり、引戸１２のデザイン性を向上させたりすることができる。
（７）凹凸面１０１Ｂを有する引き込まれ防止シート１０Ａ，１０Ｂを引戸１２の収納部側端部１２４近傍に貼り付けることにより、指や物品などが引き込まれることを防止できるスライド構造１１及びスライド構造の引き込まれ防止方法を提供できる。
【００３０】
［第２実施形態］
第２実施形態に係る引き込まれ防止シート、スライド構造、スライド構造の引き込まれ防止方法では、引き込まれ防止シートの形状及び貼付対象が異なる以外は第１実施形態と同様である。
図５に示すように、第２実施形態に係る引き込まれ防止シート２０Ａ，２０Ｂは、ビル２１Ａの出入り口のスライド構造２１に用いられる。
第２実施形態のスライド構造２１は、第１実施形態と同様に、一対の引戸２２と、一対の収納部２３とを備える。スライド構造２１に用いられる引戸２２の表面の材質としては、ステンレス板、ガラス、メラミン塗装板などが挙げられる。引き込まれ防止シート２０Ａ，２０Ｂは、引戸２２の内側表面２２１における収納部側端部近傍にそれぞれ貼り付けられる。
引き込まれ防止シート２０Ａは、図５の左側の引戸２２に貼り付けられており、半楕円形である。具体的には、引き込まれ防止シート２０Ａは、引戸２２の高さの略半分の位置において、最も幅が広くなるように、反対側の引戸２２に向かって膨らむ形状である。
引き込まれ防止シート２０Ｂは、図５の右側の引戸２２に貼り付けられている。この引き込まれ防止シート２０Ｂは、小さい円形であり高さ方向に複数枚貼り付けられている。また、引き込まれ防止シート２０Ｂは、引戸２２の下端部を除いた位置に貼り付けられている。なお、引き込まれ防止シート２０Ｂの枚数は特に限定されず、１０枚あるいは２０枚でもよく、貼り付ける位置は人が引戸２２に接触すると予想される箇所を含むことが好ましい。
以上のような本実施形態によれば、第１実施形態と同様の効果のほかに、以下の効果も奏することができる。
（８）引き込まれ防止シート２０Ａ，２０Ｂが多様な形状であるため、引き込まれ防止シート２０Ａ，２０Ｂが貼り付けられた引戸２２のデザイン性をさらに向上させることができる。
（９）引き込まれ防止シート２０Ａでは、収納部２３に引き込まれやすい引戸２２の略半分の高さ位置において、最も幅が広いため、良好に指などが引き込まれることを防止できる。
【００３１】
［第３実施形態］
第３実施形態に係る引き込まれ防止シート、スライド構造、スライド構造の引き込まれ防止方法では、引き込まれ防止シートの形状及び貼付対象が異なる以外は第１実施形態と同様である。
図６に示すように、第３実施形態に係る引き込まれ防止シート３０Ａ，３０Ｂは、エレベーター３１Ａのスライド構造３１に用いられる。
エレベーター３１Ａのスライド構造３１は、第１実施形態と同様に、一対の引戸３２と、一対の収納部３３とを備える。
引き込まれ防止シート３０Ａ，３０Ｂは、引戸３２のエレベーター３１Ａ内の内側表面３２１における収納部側端部近傍に貼り付けられる。
引き込まれ防止シート３０Ａは、図６の左側の引戸３２に貼り付けられており、三角形状である。具体的には、引き込まれ防止シート３０Ａは、引戸３２の高さの略半分の位置において、最も幅が広くなるように、反対側の引戸３２に向かって突き出す形状である。
引き込まれ防止シート３０Ｂは、図５の右側の引戸３２に貼り付けられており、引き込まれ防止シート３０Ａ側の端部が波形に形成されている。引き込まれ防止シート３０Ｂは、引戸３２の上端部及び下端部から所定距離離れた位置で貼り付けられている。
以上のような本実施形態によれば、第１実施形態及び第２実施形態と同様の効果を奏することができる。
【００３２】
［第４実施形態］
第４実施形態に係る引き込まれ防止シート、スライド構造、スライド構造の引き込まれ防止方法では、引き込まれ防止シートの形状及び貼付対象が異なる以外は第１実施形態と同様である。
図７，８に示すように、第４実施形態の引き込まれ防止シート４０は、家屋の玄関４１Ａなどの出入り口に設けられたスライド構造４１に用いられる。
スライド構造４１は、第１引戸４２１及び第２引戸４２２と、第１引戸４２１及び第２引戸４２２を収納する一つの収納部４３とを有する。
第１引戸４２１は、収納部４３から引き出された状態で、収納部４３に隣り合って配置される。
第２引戸４２２は、収納部４３から引き出された状態で、第１引戸４２１と引き出し方向に隣り合って配置される。
第１引戸４２１及び第２引戸４２２は、上框４２３Ａ、下框４２３Ｂ、及び左右の縦框４２３Ｃ，４２３Ｄと、これら上框４２３Ａ、下框４２３Ｂ、及び左右の縦框４２３Ｃ，４２３Ｄで框組した枠体に嵌め込まれるガラスパネル４２４とにより構成されている。
【００３３】
図８に示すように、第１引戸４２１及び第２引戸４２２が収納部４３から引き出された状態では、第１引戸４２１は、収納部４３と前後方向で重なる第１収納部側端部４２１Ａを有し、第２引戸４２２は、第１引戸４２１と前後方向で重なる第２収納部側端部４２２Ａを有する。
ここで、第１引戸４２１の第１収納部側端部４２１Ａ及び第２引戸４２２の第２収納部側端部４２２Ａは、それぞれ左側の縦框４２３Ｃに対応する。
収納部４３は、第１引戸４２１及び第２引戸４２２をそれぞれ重なり合わせて収納する空間４３１を有するが、箱状ではない。すなわち、収納部４３の側壁４３２は、１枚のみから構成されている。また、収納部４３は、第１引戸４２１と、第２引戸４２２に貼り付けられた引き込まれ防止シート４０との隙間ｄ１を有するように第１引戸４２１及び第２引戸４２２を収納する。
引き込まれ防止シート４０は、第１収納部側端部４２１Ａ近傍、すなわち第１引戸４２１における左側の縦框４２３Ｃに隣接するガラスパネル４２４において、その内側表面４２４Ａの全面に貼り付けられている。また、引き込まれ防止シート４０は、第２収納部側端部４２２Ａ近傍、すなわち第２引戸４２２における左側の縦框４２３Ｃに隣接するガラスパネル４２４において、その内側表面４２４Ａの全面にも貼り付けられている。この場合、引き込まれ防止シート４０は、ガラスの透明性を妨げないように、透明であることが好ましい。
【００３４】
以上のような本実施形態によれば、第１実施形態で説明した以外に以下の効果も奏することができる。
（１０）ガラスパネル４２４全面に引き込まれ防止シート４０を貼り付けるため、第１引戸４２１及び第２引戸４２２間の隙間ｄ１に指などが引き込まれることを防止できる。
（１１）ガラスパネル４２４全面に引き込まれ防止シート４０を貼り付けるため、ガラスパネル４２４が割れた時、ガラスが飛散することを防止できる。
【００３５】
尚、本発明は、前述した実施形態に限定されるものではなく、以下に示すような変形をも含むものである。
すなわち、第１実施形態から第３実施形態まででは、引戸の収納部側端部近傍にのみ引き込まれ防止シートを貼り付ける構成を説明したが、引戸の全面に引き込まれ防止シートを貼り付けてもよい。
また、各実施形態では、引戸の内側表面にのみ引き込まれ防止シートを貼り付ける構成を説明したが、引戸の外側表面にも引き込まれ防止シートを貼り付けてもよい。引戸の外側表面に引き込まれ防止シートを貼り付けることにより、引戸の内側表面に引き込まれ防止シートを貼り付けた場合と同様に、指などが引戸と収納部との隙間に引き込まれることを防止できる。
そして、各実施形態では、引戸が複数から構成される説明をしたが、１枚でもよい。
さらに、第４実施形態では、スライド構造は、２枚の引戸（第１引戸及び第２引戸）を備える構成を説明したが、３枚以上の引戸を備える構成でもよい。
また、本発明のスライド部材として、各実施形態では電車の引戸、ビルの出入り口の引戸、エレベーターの引戸、家屋の玄関の引戸などを例示したが、これに限られるものではない。スライド部材としては、駅のプラットホームに設置された保護柵の引戸でもよい。また、スライドして開閉するドアでもよく、例えば、部屋の出入口の自動ドア、手動ドアなどが挙げられる。
また、本発明のスライド部材としては、各実施形態では収納部に収納される引戸を説明したが、これに限られない。スライド部材としては例えば、引き違い窓などのスライド式の窓、戸棚や本棚などに設けられた引き違い戸などのスライド式の戸でもよい。
例えば、引き違い窓の場合、一方の窓がスライド部材であり、他方の窓が重なり部であり、引き違い戸も同様である。
そして、第１実施形態から第３実施形態までではスライド部材の表面の材質として、ステンレス板などを説明したが、ガラスでもよい。
【実施例】
【００３６】
以下に、実施例を挙げて本発明をさらに詳細に説明するが、本発明はこれらの実施例によりなんら限定されるものではない。
（実施例１）
実施例１の引き込まれ防止シートは、ＬＡＧ  ｐｒｏｔｅｃｔ  Ｍ−０１９ＰＮ２００（リンテック株式会社製）であり、図３の引き込まれ防止シートに対応する構成である。基材シートとしては、厚みが２００μｍのポリ塩化ビニルフィルム（エンボスマットタイプ）であり、粘着剤層としては、厚みが２５μｍのアクリル系接着剤である。すなわち引き込まれ防止シート全体の厚みは２２５μｍである。実施例１の引き込まれ防止シートを用いて、下記評価方法により評価した。
【００３７】
（評価方法）
ビルの出入り口の自動ドアである引戸（図５）に、図１の左側に示された引き込まれ防止シート（幅１０ｃｍ）をステンレス製の引戸の収納部側端部近傍に貼り付けた。
引き込まれ防止シートの凹凸面に指を置いた後、引戸を開くように移動させた時、指が引戸と収納部との隙間に引き込まれそうになった場合を「×」とし、隙間に引き込まれそうにならなかった場合を「○」とした。また、実施例１の引き込まれ防止シートの凹凸面について、下記の方法により十点平均粗さを測定した。それらの結果を表１に示す。
（十点平均粗さの測定方法）
株式会社ミツトヨ社製の接触式表面粗さ計ＳＶ３０００Ｓ４を用いて、Ｒｚ（十点平均粗さ）を測定した。
測定条件は、測定長さ４．０ｍｍ、速度０．５ｍｍ、測定ピッチ０．５μｍとした。
【００３８】
（実施例２）
実施例１で用いた引き込まれ防止シートを、図４（Ａ），（Ｂ）に示す構成に変更した以外は、実施例１と同様にして評価した。
実施例２の引き込まれ防止シートは、黄色のＶｉｅｗｃａｌ  ＶＣ９０１２（中間基材シート及び粘着剤層に対応、リンテック株式会社製）とＬＡＧ  ｐｒｏｔｅｃｔ  Ｍ−０１９ＰＮ２００（基材シート及び第２粘着剤層に対応、リンテック株式会社製）との積層構成である。
基材シートとしては、厚みが２００μｍのポリ塩化ビニルフィルム（エンボスマットタイプ）であり、中間基材シートとしては、厚みが５０μｍのマーキングフィルムであり、粘着剤層及び第２粘着剤層としては、厚みが２５μｍのアクリル系接着剤である。すなわち引き込まれ防止シート全体の厚みは３００μｍである。
なお、黄色のＶｉｅｗｃａｌ  ＶＣ９０１２の中間基材シートには、シルク印刷により「荷物の引き込まれにご注意下さい」との印字を施して装飾部を形成した。
【００３９】
（実施例３）
実施例２の引き込まれ防止シートで用いたＬＡＧ  ｐｒｏｔｅｃｔ  Ｍ−０１９ＰＮ２００を、ＬＡＧ  ｐｒｏｔｅｃｔ  Ｍ−０２０ＰＮ１２０（基材シート及び第２粘着剤層に対応、リンテック株式会社製）に変更した以外は、実施例２と同様にして評価した。
基材シートとしては、厚みが１２０μｍのポリ塩化ビニルフィルム（エンボスマットタイプ）であり、中間基材シートとしては、厚みが５０μｍのマーキングフィルムであり、粘着剤層及び第２粘着剤層としては、厚みが２５μｍのアクリル系接着剤である。すなわち引き込まれ防止シート全体の厚みは２２０μｍである。
なお、Ｖｉｅｗｃａｌ  ＶＣ９０１２の中間基材シートには、シルク印刷により実施例２と同様の印字を施して装飾部を形成した。
【００４０】
（実施例４）
実施例２の引き込まれ防止シートで用いたＬＡＧ  ｐｒｏｔｅｃｔ  Ｍ−０１９ＰＮ２００を、ＬＡＧ  ｐｒｏｔｅｃｔ  Ｍ−０１０ＰＮ８０（基材シート及び第２粘着剤層に対応、リンテック株式会社製）に変更した以外は、実施例２と同様にして評価した。
基材シートとしては、厚みが８０μｍのポリ塩化ビニルフィルム（エンボスマットタイプ）であり、中間基材シートとしては、厚みが５０μｍのマーキングフィルムであり、粘着剤層及び第２粘着剤層としては、厚みが２５μｍのアクリル系接着剤である。すなわち引き込まれ防止シート全体の厚みは１８０μｍである。
なお、Ｖｉｅｗｃａｌ  ＶＣ９０１２の中間基材シートには、シルク印刷により実施例２と同様の印字を施して装飾部を形成した。
【００４１】
（比較例１）
実施例２でＶｉｅｗｃａｌ  ＶＣ９０１２のみを用い、また、このシートに印字を施さなかった以外は、実施例２と同様にして評価した。
（比較例２，３）
比較例２では、引戸の表面の材質として、表１に示すように、実施例１から実施例３までと同様の既存のステンレス板を用い、引き込まれ防止シートを貼り付けなかった以外は、実施例１と同様に評価した。
一方、比較例３では、表１に示すように、既存のガラスを用い、引き込まれ防止シートを貼り付けなかった以外は、実施例１と同様に評価した。
表面粗さについては、引戸と同材質のステンレス及びガラス板について、実施例１の表面粗さと同様に測定した。
【００４２】
【表１】
0005700772.tif 000002
【００４３】
（評価結果）
エンボス加工を施して凹凸を有する引き込まれ防止シートを用いた実施例１から実施例４まででは、凹凸面の滑り性が良好であるため、指が引き込まれることを防止できた。
一方、エンボス加工を施していないシートを用いた比較例１では、指が引き込まれることを防止できない。また、シートを貼り付けず、引戸の表面に既存の材質を用いた比較例２，３でも指が引き込まれることを防止できない。
【符号の説明】
【００４４】
１０Ａ，１０Ｂ，２０Ａ，２０Ｂ，３０Ａ，３０Ｂ，４０  引き込まれ防止シート
１１，２１，３１，４１  スライド構造
１２，２２，３２        引戸（スライド部材）
１３，２３，３３，４３  収納部（重なり部）
１０１                  基材シート
１０１Ｂ                凹凸面（凹凸を有する面）
１０３                  中間基材シート
１２４                  収納部側端部（重なり部側端部）
１３２，４３１          空間
４２１                  第１引戸（スライド部材）
４２１Ａ                第１収納部側端部（重なり部側端部）
４２２                  第２引戸（スライド部材）
４２２Ａ                第２収納部側端部（重なり部側端部）
ｄ，ｄ１                隙間
【図１】
0005700772.tif 000003
【図２】
0005700772.tif 000004
【図３】
0005700772.tif 000005
【図４】
0005700772.tif 000006
【図５】
0005700772.tif 000007
【図６】
0005700772.tif 000008
【図７】
0005700772.tif 000009
【図８】
0005700772.tif 000010